(57)【特許請求の範囲】
【請求項１】
浴槽底部のコーナー部において、該底部に下向き突出状に設けられた浴槽リブに嵌合状態に装着される浴槽用の樹脂製の脚であって、
基台部と、前記浴槽リブの直交する二辺の内の一方の辺に嵌合される第一嵌合部と、他方の辺に嵌合される第二嵌合部とを有し、該第一嵌合部及び第二嵌合部は該基台部上に設けられるとともにそれぞれ一対の上向きの薄板状の突出片の間に嵌合溝を有する形態をなしており、且つそれら第一嵌合部と第二嵌合部との間の部分は空隙部とされていて該第一嵌合部と第二嵌合部とが前記浴槽リブの角部から該浴槽リブの各辺に沿って離隔した位置に形成されており、更に前記基台部は外筒部と内筒部との二重筒構造をなしていて、該内筒部の下端が該外筒部の下端よりも所定微小距離上側に控えた位置に位置させられていることを特徴とする浴槽用の脚。
【請求項２】
請求項１において、前記基台部は、それぞれ四角筒形状をなす前記外筒部と内筒部との二重筒構造をなしているとともに、それら外筒部と内筒部との間には環状の空隙部が形成されており、且つ該内筒部は直交する二辺が前記浴槽リブの直下に位置するように配置形成されていることを特徴とする浴槽用の脚。
【発明の詳細な説明】
【０００１】
【発明の属する技術分野】
この発明は浴槽用の樹脂製の脚に関する。
【０００２】
【従来の技術】
従来、浴槽底部のコーナー部において、浴槽底部から下向き突出状に設けた浴槽リブに対して樹脂製の脚を嵌合状態に装着し、その脚を介して浴槽を設置面上に設置することが行われている。
図６はそのような脚を用いた従来の浴槽の設置構造を具体的に示している。
【０００３】
同図（Ａ）において２００は浴槽で、２０２は浴槽２００の上縁の手摺部であり、２０４は浴槽２００底部に下向き突出状に設けられた浴槽リブで、２０６は浴槽底部のコーナー部においてその浴槽リブ２０４に嵌合状態に装着された樹脂製の脚であり、浴槽２００はこの脚２０６を介して設置面２０８上に設置されている。
尚、脚２０６は浴槽２００底部の４つのコーナー部のそれぞれに装着されて浴槽２００の荷重を支持している。
【０００４】
図６（Ｃ）に示すように、樹脂製の脚２０６は基台部２１０と、基台部２１０上に突出状に設けられた円柱形状の嵌入部２１２と、全体としてく字状をなす嵌合部２１４を備えており、その嵌入部２１２が、浴槽２００底部且つ浴槽リブ２０４の内側に下向きに突出形成された円筒部２１６の内部に嵌入され、また嵌合部２１４が、浴槽リブ２０４の直交する二辺２０４ａ，２０４ｂのそれぞれに嵌合（外嵌）されるようになっている。
【０００５】
ここで嵌合部２１４は、薄肉板状且つそれぞれがく字状をなす内外一対の突出片２１８，２２０を有していてそれらの間に嵌合溝２２２を有しており、その嵌合溝２２２において浴槽２００底部の浴槽リブ２０４に嵌合するものとされている。
【０００６】
【発明が解決しようとする課題】
従来、品種の異なる浴槽２００に対しても共通の脚２０６を用いるようにしているが、脚２０６を共通に用い得るように浴槽リブ２０４や円筒部２１６の形状を同一形状に設定したとしても、品種の相違や製造上のばらつきによって形状に多少のばらつきが生ずるのを避け得ず、そのため従来にあっては脚２０６を浴槽リブ２０４や円筒部２１６に必ずしも円滑に嵌合できず、脚２０６の装着作業に困難を伴うことがあった。
【０００７】
特に浴槽リブ２０４側の角部２０４ｃや脚２０６側の嵌合部２１４の角部２１４ｃの曲率、即ち角部の湾曲形状が若干でも違っていたりすると嵌合部２１４と浴槽リブ２０４との嵌合が良好に行えず、その場合無理に嵌合を行うと脚２０６が割れてしまうといった問題が生じていた。
【０００８】
またその他、浴槽リブ２０４に脚２０６を装着した状態で浴槽２００を搬送したり取扱ったりするときに浴槽２００を誤って落としたりすることがあるが、そのとき脚２０６，浴槽リブ２０４を介して衝撃力が浴槽２００の上縁まで伝わり、浴槽２００上縁部が割れてしまう場合があるといった問題が生じていた。
【０００９】
【課題を解決するための手段】
本願の発明はこのような課題を解決するためになされたものである。
而して請求項１の浴槽用の脚は、浴槽底部のコーナー部において、該底部に下向き突出状に設けられた浴槽リブに嵌合状態に装着される浴槽用の樹脂製の脚であって、基台部と、前記浴槽リブの直交する二辺の内の一方の辺に嵌合される第一嵌合部と、他方の辺に嵌合される第二嵌合部とを有し、該第一嵌合部及び第二嵌合部は該基台部上に設けられるとともにそれぞれ一対の上向きの薄板状の突出片の間に嵌合溝を有する形態をなしており、且つそれら第一嵌合部と第二嵌合部との間の部分は空隙部とされていて該第一嵌合部と第二嵌合部とが前記浴槽リブの角部から該浴槽リブの各辺に沿って離隔した位置に形成されており、更に前記基台部は外筒部と内筒部との二重筒構造をなしていて、該内筒部の下端が該外筒部の下端よりも所定微小距離上側に控えた位置に位置させられていることを特徴とする。
【００１０】
請求項２の浴槽用の脚は、請求項１において、前記基台部は、それぞれ四角筒形状をなす前記外筒部と内筒部との二重筒構造をなしているとともに、それら外筒部と内筒部との間には環状の空隙部が形成されており、且つ該内筒部は直交する二辺が前記浴槽リブの直下に位置するように配置形成されていることを特徴とする。
【００１１】
【作用及び発明の効果】
上記のように請求項１の浴槽用の脚は、浴槽リブの直交する二辺の内の一方の辺に嵌合される第一嵌合部と、他方の辺に嵌合される第二嵌合部とをそれらの間に空隙部を形成するようにして浴槽リブの角部からその浴槽リブの各辺に沿って離隔した位置に形成したもので、この浴槽用の脚の場合、図６に示す従来の脚２０６と異なって嵌合部が浴槽リブの角部に嵌合する形状をなしておらず、浴槽リブの角部を第一嵌合部と第二嵌合部との間の空隙部に位置させるようになされている。
【００１２】
従って角部の曲率のばらつきなどに起因して樹脂製の脚と浴槽リブとの嵌合が困難になるといった問題を生じない。これにより脚を浴槽リブに対して円滑に嵌合させ得るようになり、ひいては浴槽用の脚を浴槽に無理に装着するのに伴って脚が割れてしまうといった問題を解決することができる。
【００１３】
本発明では、上記嵌合溝の内面に溝中心側に突出する補助リブを突出形成しておくことができ、このようになした場合、脚と浴槽リブとを嵌合させる際に薄肉の補助リブの変形によって浴槽リブの肉厚の誤差や形状の誤差を吸収することができ、以って脚と浴槽リブとの嵌合を円滑に行うことが可能となる。
【００１４】
本発明ではまた、浴槽底部の円筒部の内部に嵌入する円柱状の嵌入部の中心部に空洞部を形成するとともに、その空洞部に連続する形態で径方向に延びるすり割溝を複数形成しておくことができ、このようになした場合、嵌入部に形成した空洞部とすり割溝とによって嵌入部の弾性変形能が高められ、従って脚を浴槽側に装着するに際して、嵌入部を容易に浴槽側の円筒部内に嵌入させることができ、ひいては浴槽用の脚を浴槽底部に容易に装着作業できるようになる。
【００１５】
本発明では更に、浴槽底部の円筒部の内部に嵌入する嵌入部の外周面に薄肉の補助リブを周方向に所定間隔で複数形成しておくことができ、このようになした場合、嵌入部を円筒部に嵌入するに際して、それら補助リブの変形に基づいてかかる嵌入部を円筒部に容易に挿入できるようになり、脚の浴槽底部への装着作業を容易に行えるようになる。
【００１６】
本発明は、基台部を外筒部と内筒部との２重筒構造となし、そしてその内筒部の下端を外筒部の下端よりも所定微小距離上側に控えた位置に位置させた点を他の特徴としており、基台部をこのような構成とすることにより、脚を浴槽に装着した状態で浴槽を搬送したり取扱ったりする際に誤って浴槽を落としたとき、その衝撃を外筒部の変形によって吸収することが可能となり、その際の衝撃が浴槽上縁部まで伝わって浴槽上縁部が割れを生じてしまうといったことを回避することができる。
尚ここで所定微小距離とは、浴槽を完全に設置したときに外筒部の微小変形に基づいて内筒部が設置面に接し、浴槽全体の荷重を外筒部と内筒部とで全体的に支持できるような距離を意味する。
【００１７】
次に請求項２の浴槽用の脚は、外筒部と内筒部とを何れも四角形状となし且つ内筒部をその直交する二辺が浴槽リブの直下に位置するように配置形成したもので、このようにすれば浴槽の荷重を内筒部において効果的に分担支持させることができる。
【００１８】
【実施例】
次に本発明の実施例を図面に基づいて詳しく説明する。
図１において１０は浴槽で、１２はその上縁の手摺部であり、１４は浴槽底部に下向き突出状に設けられた浴槽リブである。
１６は樹脂製の脚であって、浴槽底部の４つのコーナー部において浴槽リブ１４に嵌合状態に装着されており、これら４つの脚１６を介して浴槽１０が設置面１８上に設置されている。
尚、浴槽底部には図２に示しているようにコーナー部且つ浴槽リブ１４の内側において円筒部２０が下向き突出状に形成されている。
【００１９】
図２において、２２は樹脂製の脚１６における基台部であって、この基台部２２上に略円柱形状を成す嵌入部２４と第一嵌合部２６及び第二嵌合部２８とが上向き突出状に一体形成されている。
ここで第一嵌合部２６と第二嵌合部２８との間の部分は空隙部とされていて、それら第一嵌合部２６と第二嵌合部２８とは浴槽リブ１４の角部１４ｃから浴槽リブ１４の各辺１４ａ，１４ｂに沿って離隔した位置に形成されている（図４参照）。
【００２０】
嵌入部２４の中心部にはその全高さに亘って上下方向に延びる空洞部３０（図３（Ｃ）参照）が形成されており、更にその空洞部３０に連続する形態で嵌入部２４の先端部（上端部）を周方向に分割するようにして複数個（この例では４個）のすり割溝３２が放射状に形成されている。これらすり割溝３２は、嵌入部２４の上端部から所定深さ（本例では深さ３ｍｍ）に亘って形成されている。
【００２１】
嵌入部２４には、また、その外周面に沿って薄肉の補助リブ３４が全周に亘って所定間隔ごとに複数形成されており、実質的にはそれら補助リブ３４において嵌入部２４が浴槽底部の円筒部２０内部に嵌合するようになっている。
【００２２】
上記第一嵌合部２６及び第二嵌合部２８は、それぞれ相対向するようにして上向き突出状に形成された薄板状の突出片３６，３８と、それらの間に形成された嵌合溝４０とを備えており、それら嵌合溝４０において浴槽リブ１４に嵌合するようになっている。詳しくは、第一嵌合部２６が浴槽リブ１４の直交する二辺のうちの一方の辺１４ａに、また第二嵌合部２８が他方の辺１４ｂにそれぞれ嵌合するようになっている。
【００２３】
第一嵌合部２６及び第二嵌合部２８は、それぞれテーパ形状の内面を有する上部４４と、内面が実質上垂直な下部４６とから成っている。
上部４４は、浴槽リブ１４への嵌合の際のガイド部となる部分であって、下部４６が浴槽リブ１４への実質的な嵌合部となっている。
【００２４】
而してその下部４６の内面、詳しくはその内側の内面、つまり嵌入部２４側の突出片３８の内面に薄肉且つ縦向きの補助リブ４８が突出片３８の長手方向に所定間隔で複数形成されている。
これら補助リブ４８は溝中心側に向かって突出させられており、その突出量は微少な量（この例では０．５ｍｍ）とされている。詳しくは第一嵌合部２６，第二嵌合部２８を浴槽リブ１４に嵌合する際にそれら補助リブ４８の浴槽リブ１４への当接変形に基づいて、各第一嵌合部２６，第二嵌合部２８が浴槽リブ１４に嵌合し得るものとされている。
【００２５】
ここで第一嵌合部２６及び第二嵌合部２８は、それぞれ浴槽リブ１４における一方の辺１４ａと他方の辺１４ｂに沿って直線上に延びる形態とされている。
【００２６】
脚１６における基台部２２は、図３（Ｃ），（Ｄ）に詳しく示しているように四角形状の外筒部５０と、同じく四角形状の内筒部５２との二重筒構造を成しており、外筒部５０と内筒部５２との間に空隙部５４が形成されている。
【００２７】
本例において、内筒部５２は図３（Ｃ）に明らかに示しているようにその下端が外筒部５０の下端よりも所定微少距離ｄだけ上側に控えた位置に位置させられている。本例においてこのｄの寸法は０．５ｍｍとされている。
【００２８】
次に本例の脚１６を用いた浴槽１０の設置について脚１６の作用とともに以下に説明する。
まず浴槽１０底部の４つ（図示しない）のコーナー部において、浴槽リブ１４に脚１６をそれぞれ装着する。
浴槽リブ１４への脚１６の装着は、図５に示すように浴槽リブ１４の二辺１４ａ，１４ｂに、脚１６の第一嵌合部２６及び第二嵌合部２８のそれぞれの嵌合溝４０が互いに対向するように脚１６を位置させた上で、浴槽リブ１４の辺１４ａ，１４ｂに脚１６の第一嵌合部２６，第二嵌合部２８を嵌合させる。
【００２９】
このとき、脚１６の第一嵌合部２６及び第二嵌合部２８の上部４４はテーパ形状とされているため、浴槽リブ１４と第一嵌合部２６及び第二嵌合部２８との嵌合を容易に行うことができる。
脚１６の浴槽リブ１４への装着に際して、その嵌入部２４の、浴槽底部の円筒部２０内への嵌入を併せて行う。
この様にして浴槽リブ１４の４つの各コーナー部に脚１６を装着する。
【００３０】
ここで脚１６には第一嵌合部２６と第二嵌合部２８との間の部分に空隙部が形成されていて、図４に示すようにその空隙部に浴槽リブ１４の角部１４ｃが位置させられるようになっており、従って角部１４ｃの曲率のばらつきなどに起因して脚１６と浴槽リブ１４との嵌合が困難になるといった問題を生じない。これにより脚１６を浴槽リブ１４に対して円滑に装着作業することができる。
【００３１】
本例では、脚１６の第一嵌合部２６及び第二嵌合部２８の嵌合溝４０の内面に補助リブ４８が形成されており、従って脚１６と浴槽リブ１４とを嵌合させる際に薄肉の補助リブ４８が変形することによって、その浴槽リブ１４の肉厚の誤差や形状の誤差を吸収することができる。
【００３２】
更に脚１６の嵌入部２４は空洞部３０とすり割溝３２とによって嵌入部２４の弾性変形能が高められているのに加えて、その嵌入部２４の外周面に補助リブ３４が形成されているため、脚１６の嵌入部２４を容易に浴槽１０の円筒部２０内に嵌入させることができる。
【００３３】
このようにして浴槽１０に脚１６を装着した状態で浴槽１０を所定の設置場所の設置面１８上に設置する際、脚１６の基台部２２は外筒部５０と内筒部５２との２重筒構造となしていて、その内筒部５２の下端が外筒部５０の下端よりも所定微小距離上側に控えた位置に位置させていることから、浴槽１０を搬送したり取扱ったりする際に誤って浴槽１０を落としたときにおいて、その衝撃を外筒部５０の下端部の変形によって吸収することができ、従ってその際の衝撃が浴槽１０上縁まで伝わって浴槽１０上縁部が割れを生じてしまうといったことを回避することができる。
【００３４】
また図５(II)，(III)に示すように浴槽１０を所定位置に設置した状態においては、浴槽１０の重さで脚１６の内筒部５２の下面が設置面１８に当接した状態となっている。更に内筒部５２は、図３（Ａ）に示すようにその直交する二辺が第一嵌合部２６及び第二嵌合部２８の直下、即ち浴槽リブ１４の直下に位置するように配置形成されており、これにより浴槽１０の荷重を外筒部５０及び内筒部５２によって効果的に分担支持することができる。
【００３５】
以上のように本例の浴槽１０の脚１６は、浴槽リブ１４に対して円滑に嵌合させることができ、ひいては浴槽１０用の脚１６を浴槽１０に無理に装着するのに伴って脚１６が割れてしまうといった問題を解決することができる。
【００３６】
以上本発明の実施例を詳述したがこれはあくまで一例示であり、本発明はその主旨を逸脱しない範囲において種々変更を加えた形態で構成可能である。
【図面の簡単な説明】
【図１】本発明の一実施例である浴槽用の脚を浴槽とともに設置状態で示す図である。
【図２】図１の脚を浴槽底部の要部とともに示す図である。
【図３】図１の脚を単品で示す図である。
【図４】図１における脚を浴槽リブとともに示す平面図である。
【図５】図１の脚を浴槽に装着する手順を示す説明図である。
【図６】従来の浴槽用の脚を用いた浴槽の設置構造を示す図である。
【符号の説明】
１０  浴槽
１４  浴槽リブ
１４ａ，１４ｂ  辺
１４ｃ  角部
１６  脚
２０  円筒部
２２  基台部
２４  嵌入部
２６  第一嵌合部
２８  第二嵌合部
３０  空洞部
３２  すり割溝
３４，４８  補助リブ
３６，３８  突出片
４０  嵌合溝
５０  外筒部
５２  内筒部
５４  空隙部
【図１】
0003549727.tif 000002
【図２】
0003549727.tif 000003
【図３】
0003549727.tif 000004
【図４】
0003549727.tif 000005
【図５】
0003549727.tif 000006
【図６】
0003549727.tif 000007